(57)【特許請求の範囲】
【請求項１】
部屋の空気に分散するべき液体芳香化合物と、液体芳香化合物が設けられている芳香化合物槽（１５）に部分的に浸されることにより湿らせることができる固体表面として設けられている回転積層ディズク（４）とを有し、大気がファンにより湿らされた表面に供給される芳香蒸散器であって、芳香化合物槽が、芳香蒸散器（１）のハウジング（２）から取り出すことができ、積層ディスクが挿入される別体の芳香化合物トラフ（１５）として形成され、積層ディスクがレバー駆動装置（７，６）により駆動される芳香蒸散器。
【請求項２】
羽車（１４）が蒸散室（３０）の換気ファンとして設けられていることを特徴とする請求項１記載の芳香蒸散器。
【請求項３】
積層ディスク（４）の駆動及び羽根車（１４）の駆動のために１つのモータ（１３）が設けられていることを特徴とする請求項１又は２記載の芳香蒸散器。
【請求項４】
断続的作動を可能にする制御装置が段けられていることを特徴とする請求項１ないし３のいずれかに記載の芳香蒸散器。
【請求項５】
芳香蒸散器の作動時間がセンサにより、及び/又は１回以上の間隔で、制御可能であることを特徴とする請求項１ないし４のいずれかに記載の芳香蒸散器。
【請求項６】
少なくとも一つの交換カートリッジ（１８）が芳香化合物槽に設けられていることを特徴とする請求項１ないし５のいずれかに記載の芳香蒸散器．
【請求項７】
二以上の積層ディスクが設けられていることを特徴とする請求項１ないし６のいずれかに記載の芳香蒸散器。
【請求項８】
回転積層ディスクに駆動装置が設けられ、該駆動装置が少なくとも一つの回転可能に取り付けられているレバー（７）及び歯車（６）を備え、歯車（６）は回転に対して回転積層ディスク（４）に固定され、レバーを取り付け導くための装置（２４から２８）がレバー（７）を前方移動させ歯車に係合させて歯車を保持するように設けられていることを特徴とする請求項１ないし７のいずれかに記載の芳香蒸散器。
【請求項９】
レバー（７）がその先端（８）を歯車（６）の方へ向けて歯車（６）に係合し、レバー（７）の前記先端（８）がレパー（７）のいかなる位置においても下方に向けられている請求項８記載の芳香蒸散器。
【請求項１０】
レバーを取り付け導くための装置（２４から２８）がレバーの二回の前方移動の間に行われる逆移動のために設定され、逆移動時、レバー（７）は歯車（６）に嵌合せず、歯車に接触しないことを特徴とする請求項８又は９に記載の芳香蒸散器。
【請求項１１】
レバー（７）を取り付け導くための装置がレバー（７）にスライド面（２５、２６）を備え、ガイド面（２７、２８）との固定具（９）を備えることを特徴とする請求項８ないし１０のいずれかに記載の芳香蒸散器。
【請求項１２】
レバーの一端が偏心部材（２４）を介して駆動軸（２３）に連結されていることを特徴とする請求項８ないし１１のいずれかに記載の芳香蒸散器。
【請求項１３】
二つのレバー（７、７’）が設けられていることを特徴とする請求項８ないし１２のいずれかに記載の芳香蒸散器。
【請求項１４】
レバー（７）の駆動軸（２３）にウォーム（２２）が係合しているウォーム歯車（２１）が設けられていることを特徴とする請求項８ないし１３のいずれかに記載の芳香蒸散器。
【請求項１５】
ウォーム（２２）が弾性カップリング（１１）を介してモータの駆動軸（１２）に接続されていることを特徴とする請求項８ないし１４のいずれかに記載の芳香蒸散器。
【発明の詳細な説明】
本発明は、クレーム１の前文による特にトイレの芳香蒸散器に関する。
不快な臭いを回避または抑制するために、例えばレストラン、その他の建物、住宅でさえ、トイレ設備にはこれまでにスプレー剤がしばしば使用されてきた。これらは液体芳香化合物を部屋の空気中で微細な小滴の霧状にする。これらの小滴には、ほぼ完全に気化するので部屋の空気中に分散され、芳香化合物の香りを有するものもある。
しかしながら、噴霧された芳香化合物は完全には気化しない。霧状の小滴のなかには床、壁、備品及び部屋にいる人の衣類に付着するものもある。これは不快な副作用をもたらす。例えば、床はおそらく滑り易くなり、また、衣類及び靴には、例えばエーテルオイルのような時々強烈な芳香化合物が付着する。このため公衆トイレ設備の床はは約２時間毎に定期的にふかなければならない。
さらに不快な臭いを回避するためのいわゆる臭気ブロックが提案されている。この種の臭気ブロックには部屋の空気に絶えず香気をふりまくという問題がある。従って、例えばトイレが使用されていない場合のように悪臭を除去する必要がない場合でさえ香気が部屋の空気中に広がるので芳香化合物が浪費される。また、この臭気ブロックの欠点は、芳香化合物の分配が調整できないのですぐに除去できない。
従って、本発明の目的は、芳香化合物が調節可能であり、必要な場合にのみ測定量だけ、部屋の空気に供給可能な芳香蒸散器を提供することである。
導入部分に述べた芳香蒸散器の請求項１記載の特徴により、この目的は達成される。
本発明の優れた設計及びさらなる展開は、従属請求項に述べられている手段により可能である。
従って、本発明による芳香蒸散器は必要な場合に芳香化合物漕に貯められている液体芳香化合物で湿らせることができる固体表面を有する。この場合、固体表面を囲む蒸散室は部屋の空気に接続されている。
固体表面に液体芳香化合物が塗布されるので気化効果が増加する。固体表面を囲む蒸散室が部屋の空気に接続しているので、芳香化合物を含む空気を芳香蒸散器の気化空間から臭気を有する部屋に導入することにより、所望の芳香効果を得ることができる。必要な場合に固体表面を液体芳香化合物により湿らせるだけなので、不必要に芳香化合物が部屋の空気に散布されることがない。床、壁、備品または部屋にいる人の衣類でさえ芳香化合物が付着することはない。また、芳香化合物漕が設けられているので、長期間、十分な量の芳香化合物が得られる。
芳香化合物で湿らせるために芳香化合物漕に少なくとも部分的に浸すことができるように、また浸した後の湿った表面を芳香化合物漕から蒸散器チャンバへ移動できるように表面を移動可能に設けることが好適である。
このように表面の少なくとも浸漬部分は芳香化合物が完全に塗布される。浸漬前に表面に残っている芳香化合物は、この場合悪影響を及ぼすことはないが、浸漬時、芳香化合物漕に戻される。湿った表面を蒸散室に移動させた後、芳香化合物の気化が行われる。
個々のディスク間に間隙を設けて積み重ねられたディスクが好適である。ディスクの表面が液体芳香化合物を塗布するべき表面を形成する。このようにディスクを層状に積み重ねることにより、層状のディスクを比較的小さな外寸を有する芳香化合物漕に浸した場合、非常に大きな塗布面が得られる。このように塗布面が大きいので、積み重ねられたディスクの湿った部分が蒸散室に導入されるとすぐに芳香化合物が気化される。
好適な実施例において積み重ねられるディスクは円筒形及び回転可能な形状を有する。このような積層ディスクは芳香化合物層の液体表面に平行な回転軸を有するので、積層ディスクの表面の一部分は常に芳香化合物漕に浸されている一方で、積層ディスクの表面の湿った部分は回転運動時、蒸散室を常に通過する。結果として、確実に、積層ディスクの表面は連続的かつ完全に湿らされている。
蒸散室を換気するためのファンとして望ましくは羽根車が設けられている。ファン及びファンにより芳香蒸散器から芳香化合物を含む空気が送られることにより、また新鮮な空気が蒸散室内の塗布面を絶えず流れることにより、気化が強化される。蒸散室及びその開口部はこのように、比較的コンパクトに設計されているので、芳香蒸散器の構造全体のサイズがコンパクトになる。
積層ディスク又はファンのための第二駆動モータのコストが削減するために、同じモータで積層ディスク及びファンを駆動することが望ましい。
本発明による芳香蒸散器は好適に、連続作動には使用されない。逆に断続的作動、即ち中間停止を伴う作動モードを可能にするように芳香蒸散器を制御することが望ましい。結果として、連続的に気化を行う芳香蒸散器と比較して必要な芳香化合物の量が削減可能である。さらに、結果として消費電力も削減されるので、バッテリーまたはアキュミュレータ作動の場合、バッテリーの交換またはアキュミュレータの蓄電を行うことなく、長期間、電力供給が維持される。
本発明の好適な設計において、多様なセンサにより及び／又は一回以上の間隔をあけて蒸散器の作動回数が制御可能であるように制御装置が設けられる。この場合にセンサとして、部屋への入口ドアのドアスイッチ、部屋の電灯スイッチまたは該スイッチの単独で作動する光センサ、水流に反応するセンサ、例えばトイレの圧力センサ、又はトイレットペーパがなくなったことを知らせるセンサが使用可能である。特に、臭気センサの使用が好ましい。結果として、部屋の空気を再生するために芳香蒸散器の作動回数を最適化することが可能である。その他の、単純なスイッチを備えているセンサも本発明による芳香蒸散器の制御装置として使用可能である。
時間の間隔により多様な作動モードが可能である。例えば、装置が手動でボタンによって起動される作動後制御において、芳香蒸散器は起動後、例えば３０秒と１５０秒との間の所定時間、作動を続け、その後、自動的に停止可能である。
使用分野により、装置は所定の作動時間と所定の一時停止時間とを繰り返し、断続的に作動するように制御可能である。一例として、作動時間を４５秒、一時停止時間を２５分として切り換え設定することが可能であろう。このような作動モードにおいて部屋の空気は一時停止時間に続いて定期的に新鮮にされる。この場合、作動時間及び一時停止時間は部屋の大きさ及び臭気汚染の程度による。
制御により異なる作動モードに切り換えることが可能である。このように、例えば、上述した４５秒間の作動時間及び２５分間の一時停止時間の間隔による作動モード、さらに、例えば１２０秒間の作動時間及び２５分間の一時停止時間の作動モードにより制御可能である。作動モードは、作動モードが切り換えられるか又は芳香蒸散器が停止されるスイッチ設定に制御が移行されるまで、所定時間、継続し、又は自動的に継続する。
芳香蒸散器が手動により起動された後で所定時間、断続状態の作動に制御されるように、間隔をあけて断続的に作動するモードを作動後制御と組み合わせることができる。またセンサに接続可能なので、スイッチオン及びスイッチオフはセンサ信号によって制御され、スイッチオンとスイッチオフとの間で断続的作動モードが行われる。
最も単純な実施例において、本発明による芳香蒸散器は純粋に手動によっても作動可能である。
好ましくは、本発明による芳香蒸散器には、芳香化合物漕の少なくとも一つの交換カートリッジが設けられている。従って、容易に多様な香気を空気再生のために芳香蒸散器に使用することができる。香気は単純で清浄な状態で交換することができるので、結果として例えばいわゆる芳香療法に、本発明による芳香蒸散器を使用することもできる。
芳香化合物漕の交換カートリッジは好ましくは各香気の芳香化合物が塗布されている積層ディスクと一体に交換可能であり、蓋が設けられている。従って、異なる香気の芳香化合物が混合することは実質上、全くない。異なる香気の芳香化合物は交換カートリッジを交換することによって互いに接触することがない。交換カートリッジをキャップで密閉することによって、このような交換カートリッジは容易に持ち運ぶことができ、又は長期間、保存可能である。そうでない場合は、長期間の保存において、空いている交換カートリッジが乾燥する危険があるであろう。または、芳香化合物が液体状担体媒体に導入されると、「香気が保持されない」即ち担体媒体に芳香化合物が損失される危険性がある。
本発明のさらなる実施例において二以上の積層ディスクが使用される。結果として、効果を減じることなく本発明による芳香蒸散器は、いかなる外寸も有することができる。
ローラ、シャフト等による駆動、特に本発明による蒸散器の積層ディスクによる駆動で、液体を伴って回転する場合、液体によって伝動装置が汚染されるという問題が繰り返し生じる。
特に、液体が活性である場合に問題である。従来の芳香蒸散器の場合、このような液体は例えばエーテルオイルである。しかしながら、例えば、強い液体、特に酸及びアルカリを頻繁に取り扱う化学分野において、これは一般的な問題である。
伝動装置をシールしても所望の結果が得られるとは限らない。残された唯一の解決策は強い液体に対して耐性を有する材料からすべての伝動部品を製造することだけである。
一般的に、これにはコストがかかり、伝動装置が各液体によって汚染されるという問題は解決されない。
特に液体を交換する場合、即ち従来の芳香蒸散器において芳香化合物漕を交換する場合、液体が混合するという問題が生じる。この場合、伝動装置が十分に清掃されていないと、実質上、化学製造工場において望ましくない化学反応が生じる。
従って、本発明による芳香蒸散器において、好ましくは、またいかなる利用分野においても、従来の芳香蒸散器のローラ、シャフト等のような物体、例えば、積層ディスクは強い液体において回転し、少なくとも一つのレバー及び一つの歯車を備える駆動装置を形成する。歯車は回転物体に接続され、回転から保護されている。さらに、歯車に嵌合し歯車を担持するレバーを前方へ移動させるためにレバーを取り付けガイドする装置がさらに設けられている。
この場合、歯車が液体において回転運動することによって液体が付着しても、その他の伝動部品と接触する部分は、レバーが歯車に嵌合している部分だけである。しかしながら、レバーのこの部分は通常、清掃し易い。さらに、レバーが実際に液体と接触する場合、残りの液体がレバーの先端の方向へ排出され、従って実際に、レバーの端縁のみが液体でぬれるように、レバーの運動を導き制御することができる。
この目的で、好ましくは、先端を歯車の方へ向けて歯車に嵌合するように、また、いかなる位置においても先端が下向きになるように、レバーは配向され形成される。
レバーを取り付け導くための装置は好ましくは、二回行われるレバーの前方移動の間で逆方向へ移動できるように、また逆方向移動の間、歯車に嵌合及び接触しないように設定される。
従って、レバーは一回転方向に連続して歯車を駆動することができる。さらに、逆止め駆動装置を特に不要にすることができる。逆止め駆動装置は、ラチェットの形状で歯車の歯につめを係合させて逆移動する際、摺動し、このつめは前方への移動時、歯車に嵌合するものである。この場合、逆止め駆動に必要である可動部品は不要である一方、リビングルームでは実際、非常にわずらわしい逆止め駆動装置の雑音が完全に回避される。
レバーを取り付けガイドする装置は好ましくは、レバー自体に取り付けられるスライド面及びガイド面への固定具を備える。結果として、レバーは回動とは別に、回動に重畳される一方向移動を行うことができる。回転運動及び一方向移動が重畳されることによって、前方移動時、歯車に嵌合し、逆移動の際、歯車から離れるように先端を作動させることが可能である。
好ましくは、レバーの一端は回転駆動軸に偏心的に連結される。このように偏心的に回転軸に連結されるので、レバーは同時に回転及び一方向移動に設定され、これらの運動は互いに重畳される。上記摺動及びガイド面とともに、この場合、レバーの先端は例えば楕円形運動のような実質上いかなる所望の周期運動も行うことができる。この目的で、摺動並びにガイド面の形状及びレバー駆動装置の偏心は互いに適合されなければならない。
本発明による駆動装置において、好ましくは二つのレバーが設けられ、交互に歯車に嵌合する。従って、常に一方のレバーが歯車に嵌合しているので、歯車は駆動されるばかりではなく、望ましくない移動を行わないように係止される。例えば、レバーの先端が回動し歯車から離れた後、回転体が戻ることが防がれる。回転体の回転は従って、常に確実にレバー駆動装置により機械的に監視及び制御される。
二つのレバーは好ましくは１８０°ずらせて駆動軸に偏心的に接続されている。レバーが両方とも同じ形状のスライド面を有し、相当するガイド面に摺動する場合、これらのレバーは互いに対して一周期長さの半分だけ一時的にずれて同じ前方移動及び逆移動を行う。
好適な実施例において、レバーを偏心駆動するための駆動軸には、ウォームが嵌合しているウォーム歯車が取り付けられている。結果として、極端な伝動率が可能である。これは特に、モータがファン及び積層ディスクの回転に使用される本発明による芳香蒸散器において、必要である。一方、ウォーム歯車駆動はいわゆる自己抑制伝動装置を形成し、一方のレバーが常に回転体の歯車に嵌合している二レバーシステムとともに、駆動装置がスイッチオフされた時に、回転体、例えば積層ディスクを係止する。
ウォームは好ましくは弾性カップリングによりモータの駆動軸に接続されている。結果として、駆動軸はウォームの軸と正確に整列される必要がない。本発明による駆動装置の製造には比較的大きな公差が可能であり、この場合、特にコスト削減になる。
本発明の好適な実施例を図面に例証し、図面を参照して、以下、詳細に記載する。
図１は本発明による芳香蒸散器の断面の概略を示し、
図２は交換カートリッジが取り除かれている状態の図１の断面を示し、
図３はキャップで閉じられている交換カートリッジの断面の概略を示し、
図４及び５は異なるレバー位置における本発明による駆動システムの断面の概略を示し、
図６は駆動装置の一部の縦方向断面の概略を示し、
図７は二つの積層ディスク及びダブル駆動装置を備えた芳香蒸散器の概略を示している。
図１に示されているように、芳香蒸散器１は開口フラップ３を備えるハウジング２を有する。ハウジング２には、一枚のディスクを他のディスクの後ろに層状に配備した、円形ディスクからなる積層ディスク４が設けられている。この場合、フロントディスクだけが図示されている。歯車６は積層ディスク４のスピンドル５に固定されている。レバー７のレバー先端８は歯車６に嵌合している。レバー７の後端は伝動装置ハウジング９に収容されている。伝動装置ハウジング９には、弾性カップリング１１を介して電気モータ１３のモータ駆動軸１２に接続されている伝動装置駆動軸１０が貫通している。羽根車１４はファンとしてモータ駆動軸１２に取り付けられている。
積層ディスク４は、スピンドル５とともに回転可能であるように、芳香化合物トラフ１５の（図示しない）端面に取り付けられている。芳香化合物トラフ１５は、変位可能な引出し固定具１６に立設され、また、これには（詳細に図示しない）開口フラップ３が、回転軸１７に回転可能に取り付けられている。
図３は芳香化合物漕の交換カートリッジ１８の全体を示す。該カートリッジは、積層ディスク４が設けられている芳香化合物トラフ１５と、閉止クリップ２０によって芳香化合物トラフ１５に取り付けられているカートリッジキャップ１９を備えている。
図４及び５は本発明によるレバー駆動装置を拡大して示す。この場合、フロントレバー７は実線で示され、レバー７の後ろに位置している第二レバー７′は点線で示されている。
ウォーム２２に係合しているウォーム歯車２１は点線で示されている。ウォーム歯車２１は回転に対して偏心駆動軸２３に固定されているか又は駆動軸に凹設されている。これは図４及び５には詳細に図示されていないが、図６からわかる。偏心駆動軸２３に設けられている二つの偏心部材２４、２４′は環状のショルダー部材として形成され、中間軸Ｒ、Ｒ′は偏心駆動軸２３の中間軸Ｍに対して偏向しているので、偏心が生じる。偏心部材２４、２４′は各レバー７、７′の二つの相当している孔を貫通している。各レバー７又は７′は各々、上２５及び下２６スライド面を備える。これらのスライド面は、伝動装置ハウジング９の凹所に設けられている上２７及び下２８ガイド面上に位置している。
図６は回転に対して伝動装置駆動軸１０に固定されているか又は駆動軸に凹設されているウォーム２２を示す。弾性カップリング１１は羽根車１４のブッシュ２９を介してモータ駆動軸１２に接続されている。さらに、積層ディスク４の個々のディスク４′が層状に配置されている状態が図示されている。
本発明による芳香蒸散器１は作動時、液体レベルとして線Ｆで示されているように、芳香化合物トラフ１５に液体芳香化合物が注入されている。積層ディスク４は部分的に芳香化合物に浸されている。前記積層ディスクは芳香化合物トラフ１５においてスピンドル５を介して回転可能に取り付けられている。これはレバー７、７′及び歯車６を介する回転運動に設定されている。この場合、芳香化合物が蒸散室３０において空気中へ気化するように、芳香化合物で湿らされている積層ディスク４の表面は蒸散室３０の空気と接触する。
羽根車１４によって空気は芳香蒸散器１のハウジング２の（詳細に図示しない）開口部を介して吸引され、積層ディスク４上に吹き付けられる。結果として芳香化合物が気化する。次に蒸散室３０において芳香化合物を含む空気が排気孔３１として概略が示されている排気口から排出される。この場合、スクリーン３２は積層ディスクの方向へ空気の流れを偏向させる。
芳香化合物を交換する必要がある場合、図２に示されているようにフラップ３は下へ折り曲げられ、芳香化合物トラフ１５は引出し固定具１６により引き出される。この場合、積層ディスク４は芳香化合物トラフ１５に取り付けられたままである。次に、芳香化合物トラフ１５に設けられている交換カートリッジ１８は、積層ディスク４とともに引出し固定具１６から取り外され、カートリッジキャップ１９で閉じられる。このようにして交換カートリッジ１８は長期間の保管又は輸送に備える。次に同じ設計の別の交換カートリッジ又は同じ交換カートリッジ１８を逆の順番で再び芳香蒸散器１に挿入することができる。
積層ディスク４は歯車６及びレバー７、７′により駆動される。レバー７、７′は、羽根車１４を駆動する電気モータ１３により駆動される。これは、伝動装置駆動軸１０が駆動される結果として、羽根車１４のブッシュ２９及び弾性カップリング１１を介して行われる。
結果として、ウォーム２２、さらに偏心駆動軸２３は矢印Ｐ1の方向に回転する。この場合、偏心部材２４は円形運動を行う。円形運動により、レバー７、７は枢軸Ｄ、Ｄ′を中心とした傾動運動及び両方向矢印Ｔに示されている一方向運動の両方に設定される。これらの運動時、各レバーは、上及び下スライド面２５、２６が位置している上及び下ガイド面２６、２８により導かれる。偏心部材２４、２４′の中間軸Ｒ、Ｒ′が回転軸２３の中間軸Ｍから偏向するとともに、ガイド面２７、２８及びスライド面２５、２６の特殊な形状により、レバー先端８、８′の湾曲経路は、いかなる所望の形状も実質上有することができる。この場合、楕円形に湾曲している経路が特に好適である。従って、レバー先端８、８′は前方移動時、即ち本実施例において下方移動時、歯車６に嵌合する。逆移動時、即ちこの場合、上方移動時、レバー先端８、８′は歯車６から離脱し、歯車の歯に接触しない。
図４及び５は駆動時の異なる位置におけるレバー７、７′を示す。駆動時、積層ディスク４は矢印Ｐ2の方向へ回転する。偏心駆動軸２３の中間軸Ｍに対して偏心部材２４、２４′は互いに１８０°ずれて位置し、即ち偏心部材２４、２４′の中間軸Ｒ、Ｒ′及び偏心駆動軸２３の中間軸Ｍは直線上に位置するので、レバー７′の移動はレバー７の移動に対して移動周期の半分、ずれて行われる。結果として、少なくとも一つのレバー先端８は各々、歯車６に係合するので、歯車は方向Ｐ2に沿って保持されるだけでなく、駆動装置がいかなる位置にあっても、他の移動、例えば回転方向Ｐ2を戻るような移動に対しては、係止される。歯車６を芳香化合物トラフ１５の芳香化合物に浸すことによりレバー先端８、８′へ運ばれる液体が再び下方の歯車６へ排出されるようにレバー先端８、８′を下方向へ向ける。芳香化合物に接触できるのはレバー７、７′の先端のみである。従って、芳香蒸散器の作動のいかなる段階においても駆動装置の他の部品が液体芳香化合物に接触する危険はない。
積層ディスク４の図示されている駆動装置は本発明による芳香蒸散器の外側に使用してもよい。図示されているシステムはいかなる回転体にも使用可能であり、以下に記載する図７に示す設計においても本発明の駆動システムは有益である。特に、ローラ、シャフトその他を同様に液体漕において回転しなければならない化学製造工場は、駆動装置が、ある部分において活性のある液体に接触してはならないという問題が同様に生じるので本発明の駆動装置が有益である。
図７は本発明による芳香蒸散器のさらなる実施例を示す。この場合、各々、歯車６、６′を備える二つの積層ディスク４、４′が互いに平行に設けられている。これらはダブルレバー駆動装置３３、３３′により駆動されている。レバー駆動装置３３は上述した単一レバー駆動装置に相当する。これらは共通のウォーム２２及び二つのウォーム歯車２１、２１′により駆動される。本実施例においてウォーム２２及び伝動装置駆動軸１０の軸は縦方向に設けられ、二つのレバー装置３３、３３′は伝動装置駆動軸の縦軸に対して角度α又はα′をなして斜めに設けられる。従って、羽根車１４及び電気モータも縦に延びる軸に対して設けられる。
二つの平行な積層ディスクを使用することにより湿らされている面は全体的に拡大されるが、上述と同様、一台の駆動モータ及び一台のファンしか必要ではない。上述した空間で積層ディスクが配置されるので、本発明による芳香蒸散器は高い効率を有するとともにコンパクトな構造に形成することができる。
１    芳香蒸散器
２    ハウジング
３    開口フラップ
４    積層ディスク
５    スピンドル
６    歯車
７    レバー
８    レバー先端
９    伝動装置ハウジング
１０  伝動装置駆動軸
１１  弾性カップリング
１２  モータ駆動軸
１３  電気モータ
１４  羽根車
１５  芳香化合物トラフ
１６  引出し固定具
１７  回転軸
１８  交換カートリッジ
１９  カートリッジキャップ
２０  閉止クリップ
２１  ウォーム歯車
２２  ウォーム
２３  偏心駆動軸
２４  偏心部材
２５  上スライド面
２６  下スライド面
２７  上ガイド面
２８  下ガイド面
２９  ブッシュ
３０  蒸散室
３１  排気孔
３２  スクリーン
３３  レバー駆動装置
【図１】
0003692382.tif 000002
【図３】
0003692382.tif 000003
【図２】
0003692382.tif 000004
【図４】
0003692382.tif 000005
【図５】
0003692382.tif 000006
【図６】
0003692382.tif 000007
【図７】
0003692382.tif 000008